(57)【要約】【課題】スケールの除去において、必ずしも１００℃以上の処理温度を必要せず、稼働・停止を繰り返すボイラ水系であっても、系内に付着したスケールを効率よく除去可能なスケール除去剤、および、当該スケール除去剤を用いたスケール除去方法を提供する。【解決手段】スケール除去剤において、１３０００以上１７０００以下の分子量を有する、アクリル酸と２−アクリルアミド−２−メチルプロパンスルホン酸との共重合体および／またはその塩を第１の有効成分として含有することを特徴とする。【選択図】図１
2018149462.tif 000002
【特許請求の範囲】
【請求項１】
１３０００以上１７０００以下の分子量を有する、アクリル酸と２−アクリルアミド−２−メチルプロパンスルホン酸との共重合体および／またはその塩を第１の有効成分として含有することを特徴とするスケール除去剤。
【請求項２】
２０００以上１１０００以下の分子量を有するポリアクリル酸および／またはその塩を、第２の有効成分として、さらに含有することを特徴とする請求項１に記載のスケール除去剤。
【請求項３】
前記アクリル酸と２−アクリルアミド−２−メチルプロパンスルホン酸との共重合体および／またはその塩１００質量部に対して、前記ポリアクリル酸および／またはその塩を１質量部以上１００００質量部以下含有することを特徴とする請求項２に記載のスケール除去剤。
【請求項４】
水系に硬度成分が混入して生じるスケールの除去方法において、請求項１ないし請求項３のいずれか１項に記載のスケール除去剤を、前記第１の有効成分および第２の有効成分の水中における合計濃度が１ｍｇ／Ｌ以上１０００ｍｇ／Ｌ以下となるように、前記水系に添加することを特徴とするスケール除去方法。
【請求項５】
前記スケールがカルシウムを含むスケールであることを特徴とする請求項４に記載のスケール除去方法。
【請求項６】
前記スケールが、稼働・停止を繰り返すボイラ水系に付着したスケールであることを特徴とする請求項４または請求項５に記載のスケール除去方法。
【発明の詳細な説明】
【技術分野】
【０００１】
本発明は、水中のカルシウム成分やマグネシウム成分等の硬度成分により生じるスケールの除去方法、および、そのために用いられるスケール除去剤に関する。
【背景技術】
【０００２】
スケールは、水中のカルシウム成分やマグネシウム成分等の硬度成分が水の蒸発により濃縮され、これらが水と接する伝熱面に析出することによって生成することが知られている。このような伝熱面におけるわずかな量のスケール付着であってもボイラ等の効率の低下を招くので、スケール除去は重要な課題である。
【０００３】
このようなスケールを除去するスケール除去技術として、特許文献１では、ボイラ運転中に、ボイラ水系にカルボキシル基を含む高分子化合物やキレート剤等のスケール除去剤を添加し、さらにボイラ水の蒸発量を通常運転における蒸発量に比べて少量とした上で、発生した蒸気を全て系外へ排出させ、かつ、ボイラブロー量を通常運転時のボイラブロー量に比べて多くすることによるスケール除去方法が提案されている。
【０００４】
この方法における温度条件としては、ボイラ水系の温度を１００℃以上とすることが記載されている。そして、特許文献１の実施例では０．７ＭＰａの運転圧力で試験が実施されている。このように特許文献１記載の技術では、スケール除去のために発生蒸気の排出と高ブロー量による熱エネルギーやボイラ水の消費が多くなる。そして、スケール除去作業中はボイラを通常通りに運転することができず、発生した蒸気の運用に制約を受けると云う問題があった。さらに、ＥＤＴＡなどのキレート剤は、ボイラや配管に用いられている鉄と反応し、可溶化させる懸念がある。
【０００５】
一方、特許文献２では、重量平均分子量が２００００を超え１７００００以下のポリアクリル酸やその塩を蒸気発生設備内の水に、または蒸気発生設備の給水に添加する蒸気発生設備のスケール除去方法が提案されている。
【０００６】
この技術ではスケール除去のために、通常と異なる特別な運転をする必要はないが、ボイラの運転圧力が０．２ＭＰａより低いと十分なスケール除去効果が得られないとされている。すなわち、特許文献２に記載の技術では、ボイラを稼働させて一定圧力以上に昇圧しないと所望のスケール除去性能が得られないので、運転負荷に応じて稼働・停止を繰り返すボイラではスケール除去の効率が落ちると云う問題がある。
【先行技術文献】
【特許文献】
【０００７】
【特許文献１】特開２０１３−２２５３５号公報
【特許文献２】特開２０１５−１５０４８４号公報
【発明の概要】
【発明が解決しようとする課題】
【０００８】
本発明は、上記の従来技術の問題点を解決する、すなわち、スケールの除去において、必ずしも１００℃以上の処理温度を必要せず、稼働・停止を繰り返すボイラ水系であっても、系内に付着したスケールを効率よく除去可能なスケール除去剤、および、当該スケール除去剤を用いたスケール除去方法を提供することを目的とする。
【課題を解決するための手段】
【０００９】
本発明のスケール除去剤は、１３０００以上１７０００以下の分子量を有する、アクリル酸と２−アクリルアミド−２−メチルプロパンスルホン酸との共重合体および／またはその塩を第１の有効成分として含有することを特徴とする。
【００１０】
本発明のスケール除去剤は、上記構成に加え２０００以上１１０００以下の分子量を有するポリアクリル酸および／またはその塩を、第２の有効成分として、さらに含有することができる。
【００１１】
本発明のスケール除去剤は、上記構成に加え、前記アクリル酸と２−アクリルアミド−２−メチルプロパンスルホン酸との共重合体および／またはその塩１００質量部に対して、前記ポリアクリル酸および／またはその塩を１質量部以上１００００質量部以下含有することができる。
【００１２】
本発明のスケール除去方法は、水系に硬度成分が混入して生じるスケールの除去方法において、上記本発明のスケール除去剤を、前記第１の有効成分および第２の有効成分の水中における合計濃度が１ｍｇ／Ｌ以上１０００ｍｇ／Ｌ以下となるように、前記水系に添加することを特徴とする。
【００１３】
本発明のスケール除去方法は、上記構成に加えて、前記スケールがカルシウムを含むスケールであってもよい。
【００１４】
本発明のスケール除去方法は、上記構成に加えて、前記スケールが、稼働・停止を繰り返すボイラ水系に付着したスケールであってもよい。
【発明の効果】
【００１５】
本発明のスケール除去剤は、１３０００以上１７０００以下の分子量を有する、アクリル酸と２−アクリルアミド−２−メチルプロパンスルホン酸との共重合体および／またはその塩を第１の有効成分として含有する構成により、必ずしも１００℃以上の処理温度を必要とせずに、スケールの除去が可能となる。
【００１６】
本発明のスケール除去剤は、上記構成に加え、２０００以上１１０００以下の分子量を有するポリアクリル酸および／またはその塩をさらに第２の有効成分として含有することにより、より高いスケール除去能力を付与することができる。さらに前記アクリル酸と２−アクリルアミド−２−メチルプロパンスルホン酸との共重合体および／またはその塩１００質量部に対して、前記ポリアクリル酸および／またはその塩を１質量部以上１００００質量部以下含有することにより、さらに高いスケール除去能力を付与することができる。
【００１７】
本発明のスケール除去方法は、水系に硬度成分が混入して生じるスケールの除去方法において、上記本発明のスケール除去剤を、前記第１の有効成分および第２の有効成分の水中における合計濃度が１ｍｇ／Ｌ以上１０００ｍｇ／Ｌ以下となるように添加することにより、安定したスケール除去能力を得ることが可能となる。
【００１８】
また、本発明のスケール除去方法では、稼働・停止を繰り返すボイラ水系において、停止直後の余熱状態あるいは室温でもスケール除去効果を得ることができる。
【図面の簡単な説明】
【００１９】
【図１】本発明のスケール除去方法を実施したボイラ水系のボイラ内部の写真である。図１（１）実施前のボイラ内部の写真である。図１（２）実施開始１ヶ月後のボイラ内部の写真である。図１（３）実施開始２ヶ月後のボイラ内部の写真である。
【発明を実施するための形態】
【００２０】
（スケール除去剤）
本発明のスケール除去剤は、１３０００以上１７０００以下の分子量を有する、アクリル酸と２−アクリルアミド−２−メチルプロパンスルホン酸との共重合体および／またはその塩（以下、「ＡＡ／ＡＭＰＳ」とも云う。）を第１の有効成分として含有するものである（以下、分子量が１３０００以上１７０００以下のＡＡ／ＡＭＰＳを「特定分子量のＡＡ／ＡＭＰＳ」とも云う。）。ここで、スケール防止剤の成分として用いるＡＡ／ＡＭＰＳ中に、この特定分子量のＡＡ／ＡＭＰＳが含まれないと本発明の効果を得ることが困難となる。
【００２１】
本発明の実施においては、この特定分子量のＡＡ／ＡＭＰＳの含有率の高いＡＡ／ＡＭＰＳを用いることが好ましく、たとえば、用いる全ＡＡ／ＡＭＰＳ中の上記の特定分子量のＡＡ／ＡＭＰ含有量を１質量％以上とし、好ましくは１０質量％以上、より好ましくは３０質量％以上、特に好ましくは５０質量％以上とするが、可能であれば、ＡＡ／ＡＭＰＳとして特定分子量のＡＡ／ＡＭＰＳのみを用いるとより高いスケール除去効果が得られる。
【００２２】
なお、上記の特定分子量のＡＡ／ＡＭＰＳのうち、特に１４０００以上１７０００以下の分子量を有するＡＡ／ＡＭＰＳがより高いスケール除去能を有するので、この範囲の分子量を有するＡＡ／ＡＭＰＳの含有率の高いＡＡ／ＡＭＰＳを用いることが好ましい。
【００２３】
本発明では上記のような特定分子量のＡＡ／ＡＭＰＳに加え、２０００以上１１０００以下の分子量を有するポリアクリル酸および／またはその塩（以下、「特定分子量のポリアクリル酸」とも云う。）を第２の有効成分として含有することができる。ここで、この範囲の分子量を有するポリアクリル酸を含有するものでないとポリアクリル酸の添加による相乗効果が十分に発揮されない。そのために、本発明の実施においては、この特定分子量のポリアクリル酸の含有率のできるだけ高いポリアクリル酸を用いることが好ましく、たとえば、用いる全ポリアクリル酸中の特定分子量のポリアクリル酸含有量が１０質量％以上、より好ましくは５０質量％以上のポリアクリル酸などが挙げられるが、可能であれば、ポリアクリル酸として特定分子量のポリアクリル酸のみを用いるとより高いポリアクリル酸併用の効果が得られる。
【００２４】
特定分子量のＡＡ／ＡＭＰＳに特定分子量のポリアクリル酸を併用する場合、特定分子量のＡＡ／ＡＭＰＳ１００質量部に対して、特定分子量のポリアクリル酸を１質量部以上１００００質量部以下含有させることが、これらの有効成分の併用の効果が十分に得られるので好ましい。より好ましい含有量比は、ＡＡ／ＡＭＰＳ１００質量部に対して、５質量部以上４００質量部以下である。
【００２５】
本発明のスケール除去剤には、上述のように特定分子量のＡＡ／ＡＭＰＳが本発明の効果が得られる量、配合されていればよい。そして、特定分子量のＡＡ／ＡＭＰＳ以外の、分子量が１３０００未満、および／または、１７０００超のＡＡ／ＡＭＰＳが、同時に含まれていてもよく、その場合も本発明に含まれる。
【００２６】
また、本発明のスケール除去剤には、そのスケール除去効果が損なわれない限りにおいて、他の成分が添加されていてもよく、たとえば、他の防食剤、スケール防止剤、復水処理剤、ｐＨ調整剤、スライムコントロール剤、消泡剤等、具体的には、上記の特定分子量のポリアクリル酸以外のポリアクリル酸またはその塩、ポリメタクリル酸またはその塩、アクリル酸とメタクリル酸とのコポリマまたはその塩、ポリマレイン酸またはその塩、スチレンスルホン酸とマレイン酸とのコポリマまたはその塩、ホスフィン酸またはその塩、亜硝酸塩、亜鉛塩、錫塩、モリブデン酸またはその塩、ヒドラジン、カルボヒドラジド、ジエチルヒドロキシルアミン、イソプロピルヒドロキシルアミン、メチルエチルケトオキシム、没食子酸、タンニン、リグニン、リグニンスルホン酸、糖類、亜硫酸塩、エリソルビン酸またはその塩、アスコルビン酸またはその塩、オキシカルボン酸またはその塩、燐酸またはその塩、アミノトリメチレンホスホン酸またはその塩、１−ヒドロキシエチリデン−１，１−ジホスホン酸またはその塩、２−ホスホノブタン−１，２，４−トリカルボン酸またはその塩、エチレンジアミン四酢酸またはその塩、ニトリロ三酢酸またはその塩、アミノメチルプロパノール、オクタデシルアミン、モルホリン、モノエタノールアミン、ジエタノールアミン、トリエタノールアミン、３−メトキシプロピルアミン、アルカリ金属水酸化物、アルカリ金属炭酸塩、ベンゾトリアゾール、トリルトリアゾール、フェルラ酸、２−メルカプトベンゾチアゾールのナトリウム塩、次亜塩素酸ナトリウム、次亜臭素酸ナトリウム、二酸化塩素、クロラミンＴ、クロラミンＢ等の酸化剤、グルタルアルデヒド、フタルアルデヒド等のアルデヒド類、テトラキスヒドロキシメチルホスホニウムサルフェート、トリ−ｎ−ブチル−ｎ−ヘキサデシルホスホニウムクロライド、トリ−ｎ−ブチル−ｎ−ドデシルホスホニウムクロライド等のホスホニウム塩化合物、塩化ベンザルコニウム等の四級アンモニウム塩化合物、メチレンビスチオシアネート、ジメチル尿素、ジクロログリオキシム、２，２−ジブロモ−２−ニトロエタノール、２−ブロモ−２−ニトロプロパン−１，３−ジオール、２，２−ジブロモ−３−ニトリロプロピオンアミド、１，４−ビス（３，３’−（１−デシルピリジニウム）メチルオキシ）ブタンジブロマイド、Ｎ，Ｎ’−ヘキサメチレンビス（４−カルバモイル−１−デシルピリジニウムブロマイド）等のビス型第四アンモニウム塩、ポリ（２−ヒドロキシプロピルジメチルアンモニウムクロライド）、ポリ［オキシエチレン（ジメチルイミノ）エチレン（ジメチルイミノ）エチレンジクロライド］等のヨーネンポリマー、５−クロロ−２−メチル−４−イソチアゾリン−３−オン、２−メチル−４−イソチアゾリン−３−オン、１，２−ベンゾイソチアゾリン−３−オン、２−ｎ−オクチル−４−イソチアゾリン−３−オン、２−メチル−１、２−ベンゾイソチアゾール−３（２Ｈ）−オン等のイソチアゾリン化合物、３−（３，４−ジクロロフェニル）−１，１−ジメチルウレア、メチル−Ｎ−ベンゾイミダゾール−２−カーバメート、ヘキサヒドロ−１，３，５−トリス（２−ヒドロキシエチル）−Ｓ−トリアジン、ピリジンチオール−１−オキサイドのナトリウム塩、その他、シリコーン系やアルコール系の消泡剤などの一種または二種以上を挙げることができ、その場合も本発明に含まれる。
【００２７】
本発明のスケール除去剤は、室温においてもスケール除去効果が得られるため、その用途はボイラ水系に限定されず、冷温水系、冷却水系等、広くスケールの付着した水系におけるスケール除去用途に用いることができる。
【００２８】
（スケール除去方法）
本発明のスケール除去方法は、カルシウム、マグネシウム等の硬度成分が水系に混入して生じるスケールの除去方法である。本発明のスケール除去方法は、本発明のスケール除去剤に含まれる第１の有効成分および第２の有効成分、すなわち、特定分子量のＡＡ／ＡＭＰＳと、この特定分子量のＡＡ／ＡＭＰＳに必要に応じて配合される特定分子量のポリアクリル酸との水中における合計濃度が、１ｍｇ／Ｌ以上１０００ｍｇ／Ｌ以下となるように、本発明のスケール除去剤を水系に添加するものである。この濃度範囲よりも低い添加量であると十分な効果が得られにくく、また、この濃度範囲を超えて添加しても濃度増加による効果の増大はほぼ見込まれず、このとき、処理が高コストとなる。より好ましい濃度範囲は５ｍｇ／Ｌ以上５００ｍｇ／Ｌ以下である。第１の有効成分および第２の有効成分の水中における濃度は、所望のスケール除去効果に合わせて上記範囲内で適宜設定すればよく、コストを抑えることができることから、低濃度（例えば、１００ｍｇ／Ｌ未満程度）になるように添加することが好ましい。なお、本発明のスケール除去剤の適用水系が稼働中のボイラ水系などのブローを行う水系の場合、継続してスケール除去処理を行うためには、所定の添加濃度が維持されるように、スケール除去剤を追加添加する必要がある。
【００２９】
本発明のスケール除去剤は、その特定の構成により、炭酸カルシウム、リン酸カルシウム、硫酸カルシウム、ケイ酸カルシウム等のカルシウムを含むスケールに対して特に高いスケール除去効果が得られる。
【００３０】
本発明のスケール除去剤は、たとえば８０℃程度の温度での処理で高いスケール除去効果が得られ、また、室温ないし４０℃と云う低い温度領域の処理でもスケール除去効果が得られるので、必ずしも１００℃以上の温度で処理を行う必要がない。このため、停止中のボイラをスケール除去の目的だけのために加温する必要がなく、スケール除去処理における加熱に要するエネルギーの消費の抑制が可能となる。また、通常の使用状態で運転されているボイラの給水に添加するだけでスケール除去効果を得ることができ、スケール除去のための特別な運転は不要である。
【００３１】
本発明のスケール除去剤は、比較的低温で、たとえば室温での処理であってもスケール除去効果が得られるので、発生蒸気の使用状況に応じて稼働・停止を繰り返すボイラ水系に応用した場合、ボイラ停止後に水温が下がる過程でも、さらに、水温が室温まで下がっても、本発明の効果を奏することが可能である。
【００３２】
以上、本発明について、好ましい実施形態を挙げて説明したが、本発明のスケール除去剤およびスケール除去方法は、上記実施形態の構成に限定されるものではない。
【００３３】
当業者は、従来公知の知見に従い、本発明のスケール除去剤およびスケール除去方法を適宜改変することができる。このような改変によってもなお、本発明のスケール除去剤およびスケール除去方法を具備する限り、もちろん、本発明の範疇に含まれるものである。
【実施例】
【００３４】
以下に、本発明のスケール除去剤およびスケール除去方法についての実施例を示す。ただし、本発明は、以下の実施例により限定されるものではない。
【００３５】
＜炭酸カルシウム溶解試験＞
１Ｌ（リットル）ビーカー中のイオン交換水１０００ｍＬ（ミリリットル）に、スケールのモデル物質として粒状の炭酸カルシウム１ｇ、および、表１〜４にその添加濃度および分子量範囲を示す、各薬品（ＡＡ／ＡＭＰＳ、ポリアクリル酸、あるいは、ポリメタクリル酸）を添加したのち、水酸化ナトリウムによりｐＨを１１．０に調整したものを試験液とした。各試験液を８０℃に保ちながら攪拌し、攪拌開始から２４時間後に、０．４５μｍのメンブレンフィルターでろ過してろ液を得た。ろ液中のカルシウム濃度を原子吸光光度法で測定し、炭酸カルシウム濃度（表１〜４中「２４時間後のろ液の炭酸カルシウム濃度（ｍｇ／Ｌ）」）に換算した。結果を表１〜４に併せて記載する。なお、表１〜４中、「薬品の分子量」の欄の「−」前後の数字はそれぞれ、添加したポリマーの分子量の下限値および上限値を示し、括弧内にはその質量平均分子量を記載した。なお、本試験において、ろ液中のカルシウム濃度が高いほど炭酸カルシウムの溶解能が高い、すなわち、スケール除去効果が高いとみなすことができる。
【００３６】
【表１】
2018149462.tif 000003
【００３７】
【表２】
2018149462.tif 000004
【００３８】
【表３】
2018149462.tif 000005
【００３９】
【表４】
2018149462.tif 000006
【００４０】
表１〜４により、特定分子量のＡＡ／ＡＭＰＳである、１３０００以上１４０００以下の分子量を有するＡＡ／ＡＭＰＳ、１３０００以上１７０００以下の分子量を有するＡＡ／ＡＭＰＳ、あるいは、１４０００以上１７０００以下の分子量を有するＡＡ／ＡＭＰＳをそれぞれ添加した本発明の実施例の系では、同濃度になるように添加した比較例と比べて、低濃度での添加であっても、高い炭酸カルシウム溶解能が発揮されることが理解される。
【００４１】
これらの系に対して、比較例での炭酸カルシウム溶解能は低く、たとえＡＡ／ＡＭＰＳを添加した系であっても、特定分子量のＡＡ／ＡＭＰＳを含まない系では、十分な炭酸カルシウム溶解能が得られなかった。
【００４２】
さらに、上記３種類の特定分子量のＡＡ／ＡＭＰＳにそれぞれ、特定分子量のポリアクリル酸である、２０００以上３０００以下の分子量を有するポリアクリル酸、５０００以上７０００以下の分子量を有するポリアクリル酸、あるいは、９０００以上１１０００以下の分子量を有するポリアクリル酸を併用した系においては、特定分子量のＡＡ／ＡＭＰＳを単独で添加した場合の結果に比べて相乗効果的に、より高い炭酸カルシウム溶解能が得られることがわかる。すなわち、特定分子量のＡＡ／ＡＭＰＳを単独で添加した場合、特定分子量のポリアクリル酸を単独で添加した場合の、ろ液中のカルシウム濃度を単に合計した量よりも多くの量のカルシウムが溶解しており、特定分子量のＡＡ／ＡＭＰＳと特定分子量のポリアクリル酸を併用することによる相乗効果が示された。
【００４３】
一方、ポリアクリル酸を併用した系であっても、特定分子量のポリアクリル酸を含まない場合には、ポリアクリル酸併用による相乗効果が得られない結果となった。
【００４４】
また、表２に示すように、イオン交換水に上記３種類の特定分子量のＡＡ／ＡＭＰＳそれぞれを濃度１００ｍｇ／Ｌとなるように添加した系に、特定分子量のポリアクリル酸である、２０００以上３０００以下の分子量を有するポリアクリル酸、５０００以上７０００以下の分子量を有するポリアクリル酸、あるいは、９０００以上１１０００以下の分子量を有するポリアクリル酸を、それぞれ２０ｍｇ／Ｌ、２００ｍｇ／Ｌの添加濃度で併用した以外は同様にして炭酸カルシウム溶解試験を実施した結果、これらの３種類の特定分子量のＡＡ／ＡＭＰＳと３種類の特定分子量のポリアクリル酸の単独添加の結果に比べて相乗効果的に、より高い炭酸カルシウム溶解能が得られることが確認された。
【００４５】
＜室温および４０℃での炭酸カルシウム溶解試験＞
次に、室温での炭酸カルシウム溶解性について検討を行った。本試験では、室温を２５℃に設定した。実験条件としては、攪拌時の温度を８０℃ではなく、２５℃に保ったこと以外は、表１中の実施例−２、実施例−４、実施例−７、実施例−１０、実施例−１５、実施例−２１、表３中の比較例−１、比較例−１４、および、比較例−１７とそれぞれ同様にして炭酸カルシウム溶解実験を行った。その結果を表５に示す。
【００４６】
【表５】
2018149462.tif 000007
【００４７】
表５より、本発明のスケール除去剤は、常温においても炭酸カルシウム溶解能が高いことが理解される。
【００４８】
また、同様にして、ただし、攪拌時の温度を４０℃とした場合には、本発明の実施例ではそれぞれ２５℃での処理よりもより多くの炭酸カルシウムが溶解されること、そして、比較例では２５℃での結果と同様なレベルの、低い炭酸カルシウム溶解効果しか得られないことが確認された。
【００４９】
これらの結果により、従来のスケール除去処理では効果がないとされていた、室温ないし４０℃での処理であってもスケール除去効果が得られることが確認された。
【００５０】
＜実際のボイラでの試験＞
本発明のスケール除去剤を、実際に連続運転しているボイラ水系に適用した。このボイラの運転条件を表６に示す。なお、表６中の「ＡＡ／ＡＭＰＳ濃度」は、分子量が１３０００以上１７０００以下のＡＡ／ＡＭＰＳのボイラ水への添加濃度を示す。
【００５１】
【表６】
2018149462.tif 000008
【００５２】
まず、試験開始直前に稼働中のボイラのボイラ水を採取した。
試験では分子量が１３０００以上１７０００以下のＡＡ／ＡＭＰＳのボイラ水中の濃度を当初は２０〜３０ｍｇ／Ｌに６０日間維持し、この間、１０日ごとにボイラ水を採取した。その後、濃度を４０〜５０ｍｇ／Ｌとした以外は同様に維持し、この間、同様にボイラ水を採取した。これらのボイラ水をそれぞれ０．４５μｍのメンブレンフィルターでろ過し、ろ液中のカルシウム濃度、および、マグネシウム濃度を原子吸光光度法により分析した。結果を表７に示す。
【００５３】
【表７】
2018149462.tif 000009
【００５４】
表７より、実施例のスケール除去剤によればＡＡ／ＡＭＰＳを２０〜３０ｍｇ／Ｌの濃度に維持することにより良好なスケール除去効果が得られ、さらに、その後、ＡＡ／ＡＭＰＳの維持濃度を４０〜５０ｍｇ／Ｌへ上昇させることにより、その効果がより高いものとなることが理解される。そして、このスケール除去剤は、カルシウム含有スケールのみならず、マグネシウム含有スケールに対しても除去効果が得られることも判る。
【００５５】
＜除去効果の視認による確認＞
運転中のボイラ内部に付着しているスケールの除去効果を写真で確認した。このときのボイラ運転条件は、常用圧力が１．６ＭＰａ、軟化水を給水してブロー率を５％とし、１２時間稼働・１２時間停止を繰り返す間欠運転で、スケール除去剤である１４０００以上１７０００以下の分子量を有するＡＡ／ＡＭＰＳのボイラ水中の濃度を２０〜３０ｍｇ／Ｌに維持した。
【００５６】
ＡＡ／ＡＭＰＳ添加前のボイラ内部の写真を図１（１）に、ＡＡ／ＡＭＰＳ添加開始後１ヶ月後の写真を図１（２）に、ＡＡ／ＡＭＰＳ添加開始後２ヶ月後の写真を図１（３）にそれぞれ示す。
【００５７】
これらの写真により、添加開始前は白いスケールによりボイラの缶壁が覆われて視認できない状態であったが（図１（１）参照。）、添加開始１ヶ月後にはスケールがほとんど除去されて缶壁（図１（２）の薄灰色部分。）が視認できるようになり、そして、添加開始２ヶ月後にはより多くスケールが除去されている（図１（３）参照。）ことが理解される。
【図１】
2018149462.tif 000010